(57)【要約】      （修正有）【課題】適応が困難であったゴミを嫌う液、粒子成分を含む液、時間経過で硬化促進する液、嫌気性接着剤等を適応出来る補給方式を提供する。【解決手段】ブロック１に大シリンジ１２と、小シリンジ１４と、ノズル１５を夫々連結するポート６を設け、夫々のポート６に繋がるブロック１内の管路５を内部で連結し、大シリンジ１２の管路５にシリンジ１２からの流入のみを許し、逆方向の流れは止めるチェツクバルブ１６を設置している。【選択図】図１
2008068245.tif 000002
【特許請求の範囲】
【請求項１】
ブロックに、大シリンジと、小シリンジと、ノズルを夫々連結するポートを設け、夫々のポートに繋がるブロック内の管路を内部で連結し、大シリンジの管路に大シリンジからの流入のみを許し、逆方向の流れは止めるチェックバルブを設置し、大シリンジに加圧エアを印加する電磁弁と小シリンジに加圧エアを印加する電磁弁を設置し、電磁弁の励磁、無励磁を制御する制御部を設けたことを特徴とするエア圧送式液体吐出装置。
【請求項２】
ブロックに、ブロックに、大シリンジと、小シリンジと、ノズルを夫々連結するポートを設け、夫々のポートに繋がるブロック内の管路を内部で連結し、大シリンジの管路に大シリンジからの流入のみを許し、逆方向の流れは止めるチェックバルブを設置し、大シリンジに加圧エアを印加する電磁弁と小シリンジのピストン押し込み装置とで構成することを特徴とする液体吐出装置。
【請求項３】
請求項１のエア圧送式液体吐出装置を装着したことを特徴とする高粘度液塗布装置。
【請求項４】
請求項２の液体吐出装置を装着したことを特徴とする高粘度液塗布装置。
【発明の詳細な説明】
【技術分野】
【０００１】薬品、接着剤、ペースト等を充填したシリンジの液体を分析、液送、塗布に使用する微量液体吐出装置に関する。
【背景技術】
【０００２】ペーストやエポキシ樹脂等高粘度液を充填した大シリンジと、吐出用の小シリンジと、吐出ノズルを三方弁に装着し、小シリンジ内の液を少しずつ押してノズルより液を吐出し、小シリンジ内の液が無くなると三方弁を切り替え、大シリンジより液を小シリンジに補給する方式のエア圧送式またはピストン押し込み式液体吐出装置は次の欠点がある。
▲１▼三方弁を切り替える際に液中の粒子や洩れた液が三方弁の摺動部に侵入し、摺動部を磨耗さし、磨耗粉が液内に混入する。
▲２▼三方弁の回転用アクチェーター（エア駆動が多い）、カップリング、ソレノイドバルブ、電気制御等が必要で高価である。
▲３▼三方弁の分解、清掃が困難である。
▲４▼アクチェーターの駆動時間が必要でその間は吐出ができず、塗布自動機等のロス時間が発生し、生産性が悪くなる。
【課題】
【０００３】前記欠点を解消する補給方式を提供し、適応が困難であったゴミを嫌う液、粒子成分を含む液、時間経過で硬化促進する液、嫌気性接着剤等を適応出来る様にする。
【解決手段】
【０００４】ブロックに、大シリンジと、小シリンジと、ノズルを夫々連結するポートを設け、夫々のポートに繋がるブロック内の管路を内部で連結し、大シリンジの管路に大シリンジからの流入のみを許し、逆方向の流れは止めるチェックバルブを設置する。大シリンジは広く流通している市販品で、ペースト、樹脂等を充填して供給される。
【作用】
【０００５】小シリンジ内を大気開放又は負圧にしてから、液を充填した大シリンジに圧力エアを印加すると、液はチェックバルブを開けて管路を通り小シリンジ内に流入して小シリンジを充満する。ノズル側にも液は流れるが、微量吐出用のノズルは細いので抵抗が大きく、流れ出る量は微量か、又は流れ出ない。小シリンジに液を補給できたら大シリンジへの圧力エアの印加を停止する。
【０００６】次に、小シリンジに時間と圧力を制御された圧力エアを印加するか、ピストンを押し込むかすると、液は大シリンジ側へはチェックバルブで止められ、ノズルより吐出する。
【効果】
【０００７】外部からの機械的な動きを与えることなく、大シリンジか小シリンジのどちらかに圧力を印加するだけで液の補給又は吐出に切り替えることが出来る。
【実施例１】
【０００８】ブロック１はポート２とその管路３、ポート４とその管路５、ポート６とその管路７を刻設し、この３つの管路を連結する管路８を刻設している。ブロック１は管路８の部分で上ブロック９と下ブロック１０とに分割し、この分割面に管路８を露出さし、ボルト１１で一体に固定している。【０００９】ポート２に大シリンジ１２を着脱自在に連結する連結具１３を設置し大シリンジ１２を装着する。ポート４に小シリンジ１４を連結し、ポート６にノズル１５を連結する。大シリンジ１２は広く流通している市販品で、ペースト、樹脂等高粘度液を充填して供給される。小シリンジ１４は直径、長さを小さくして容積を小さく構成する。【００１０】連結具１３は矢印方向に自由流れ作用のあるチェックバルブ１６を内蔵する。【００１１】大シリンジ１２の後端にエア継ぎ手１７を設ける。小シリンジ１４の後端には小穴を貫通さしたスペーサー１８を挟んでエア継ぎ手１９を設ける。【００１２】大シリンジ１２のエア継ぎ手１７はエア配管２０で電磁弁２１に連結し、小シリンジ１４のエア継ぎ手１９はエア配管２２で電磁弁２３に連結する。電磁弁２１，２３は無励磁時にエア配管２０，２２内を大気に開放し、励磁した時圧力エアをシリンジに印加する。【００１３】電磁弁２１には圧力調整弁２４で調圧されたエアを供給し、電磁弁２３には圧力調整弁２５で調圧されたエアを供給する。【００１４】電気制御部２６は電磁弁２１，２３の励磁および励磁開放を制御プログラムに沿って制御する。制御プログラムは電磁弁２３を吐出信号を受けて指定時間励磁し、指定吐出回数に達すると電磁弁２１を指定時間励磁する。
【実施例１の作用】
【００１５】補給信号を制御部２６に入力すると電磁弁２１が指定時間励磁され、加圧エアが大シリンジ１２内に印加され、内部の液は加圧されチェックバルブ１６を通過し小シリンジ１４内に流入充満し補給を完了する。ノズル１５側にも液は流れるが、小シリンジ１４は電磁弁２３で大気に開放され抵抗がほとんど無く、抵抗が大きいノズル先からは流失しないか、又はわずかな流失で済む。小シリンジ１４後端のスペーサー１８は小穴が液の通過の抵抗となりエア配管２２への液の流入を防止する。エア配管２０に圧力センサを設置し、スペーサー１８の小穴に液が達すると圧力が上昇するので、その圧力を検知して電磁弁２１を無励磁にする制御も容易である。
【００１６】次に吐出信号を制御部２６に入力すると電磁弁２３が指定時間励磁され、加圧エアが小シリンジ１４内を印加し、内部の液はチェックバルブ１６への通過は遮断され、ノズル１５より吐出する。吐出信号を指定回数入力すると小シリンジ内の液がほぼ無くなるように指定回数をプログラムする。吐出信号が指定回数終了すると再び補給信号により小シリンジ１４に液を補給する。
【００１７】以上の作用により大シリンジ１２内の液を小シリンジ１４に小分けして補給し、小シリンジ１４内の液をノズルより分注し、水頭差を無くした微量精密吐出を計れる。
【実施例１の効果】
【００１８】外部からの機械的な動きを与えることなく、大シリンジか、小シリンジかのどちらかに圧力を印加するだけで液の補給又は吐出に切り替えることが出来る。
【００１９】ブロック１はボルト１１を緩めるだけで上ブロック９と下ブロック１０とに分離出きるので、管路８を露出さし洗浄が容易である。
【００２０】構造が簡単で安価に提供でき、従来のエアディスペンサーの簡易さを損なうことなく高精度吐出を計れる。
【００２１】従来の三方弁のような摺動部がなく、磨耗粉が液内に混入することが無い。適応が困難であったゴミを嫌う液、粒子成分を含む液、時間経過で硬化促進する液、嫌気性接着剤にも適応できる。
【実施例２】
【００２２】実施例２はピストン押し込み方式のディスペンサーで、ピストン３１を押し込み装置３２で押し込み、小シリンジ３０内部の液をノズルより吐出するが、実施例１とは小シリンジの構造が異なるのみなので同一の構造部は説明を省略する。【００２３】ブロック３３（ブロック１と同じ）は押し込み装置３２に固定される。【００２４】小シリンジ３０の先端はピストン３１の外径より大きい内径の逃し室３４を刻設する。他端にはドレンポート３６を備えた後端キャップ３５を装着する。ピストン３１に連接するピストンロッド３７は押し込み台３８に固定する。押し込み台３８は押し込み装置３２のボールネジ等の送り機構で押し引きされ、電気制御部３９で制御される。【００２５】大シリンジ４０（大シリンジ１２と同じ）はエア配管４１で電磁弁４２（電磁弁２１と同じ）に連結し、圧力調整弁４３で供給圧力を調整する。
【実施例２の作用】
【００２６】小シリンジ３０に液の無いとき補給信号を制御部３９に入力すると、押し込み台３８はピストン３１を逃し室３４内に押し込み、電磁弁４２を励磁して大シリンジ４０に加圧エアを印加する。内部の空気は逃し室３４でピストン３１の外側を通りドレンポート３６より外部に排出される。加圧エアの印加を続けると液が小シリンジ３０内に流入してくる。液がピストン３１の外側に回りこんだときピストン３１を逃し室３４より引き込み、液の流失を止める。さらにピストン３１を引き込むと小シリンジ３０に液を補給する。ピストン３１が上昇端にきたら電磁弁４２の励磁を切り、大シリンジ４０の加圧エアを開放する。
【００２７】次に吐出信号を制御部３９に入力すると指定量ピストン３１が押し込まれ、内部の液はノズル４４より液を吐出する。吐出信号を繰り返しピストン３１が逃し室３４に突入する直前に補給信号を制御部３９に入力して小シリンジ３１に液を補給する。
【実施例２の効果】
【００２８】実施例１と同様の効果と、ピストン３１の位置と連動して電磁弁４２の励磁タイミングをプログラムできるので、実施例１のタイマ、カウンタ等の設定が不要になる。
【００２９】ブロック３３は押し込み台３８に直結できる大きさで構成でき、全体がコンパクトになる。
【００３０】ブロック３３は高剛性構造にでき、高圧吐出が計れる。
【００３１】本発明の趣旨は微量精密吐出を計るものであり、小シリンジを出来るだけ小容量に設計すると、より微量精密吐出が可能になる。ブロック１の管路５を小シリンジとして適応できる。例えばハンダペーストを０．３ミリ直径に塗布すると、その体積は１０ナノリットル程度になる。基板上に１０００点塗布するとしても、その総量は１０マイクロリットルに過ぎない。管路５を直径２ミリ、長さ１０ミリに設定すると３０マイクロリットルになる。管路５を小シリンジとするのは簡単である。実施例１で小シリンジ１４の代わりにエア継ぎ手を直結すればよい。１０マイクロリットルの液を補給するには１秒あれば充分なので、実質的に本ディスペンサーは大シリンジの液が無くなるまで連続使用が可能である。電子部品を実装するためのハンダペースト塗布ロボットに於いて微小ドットの連続塗布に有用で、ハンダペーストの印刷より微細なパターンの塗布を可能にする。
【００３２】ブロック１は実施例１のエアディスペンサー用、実施例２のピストン押し込みディスペンサー用のどちらにも同様の構成で適応でき、汎用性が高い。
【００３３】従来ピストン押し込みディスペンサーに於いて、供給、吐出の両管路にチェックバルブを設け、ピストン引き込み時に液を吸入補給し、ピストン押し込み時に吐出する方式がある。この方式は薬液等ピストン引き込み時に自吸できる低粘度液に適応できるもので、本発明と同様に大シリンジ側に圧力を印加するとノズルから液が吐出してしまう。本発明は高粘度液のノズルからの吐出抵抗、逃し室、ピストンの移動速度、電磁弁の励磁を関連つけて高粘度液に適応さしている。
【図面の簡単な説明】
【００３３】
【図１】  実施例１の断面図
【図２】  実施例２の断面図
【符号の説明】
【００３４】１、ブロック    ５、管路    １２、大シリンジ    １４、小シリンジ    １５、ノズル    １６、チェックバルブ    ２３、電磁弁    ２６、電気制御部
【図１】
2008068245.tif 000003
【図２】
2008068245.tif 000004